(57)【要約】 ２つの物体を抵抗を付与してヒンジ軸で結合するヒンジの組み立てを精度よく、かつ容易に締付けすることができるトルク設定機能付きヒンジである。ヒンジ軸２０に制動部材３０を介して保持具４０の湾曲部４２を縮径するために、湾曲部４２とは別体で湾曲部４２の締付け時の円弧運動とは独立して湾曲部４２の掛け止め部（垂直溝）４２Ｇ内を垂直変位することができる調整部材４６をねじ止めする。ねじ５は、湾曲部４２の円弧運動に拘束されることなく、垂直変位によって湾曲部４２を締め付けることができ、保持具４０の締め付けを高い精度と高い作業性とで行うことができる。
2011099556.tif 000002
【特許請求の範囲】
【請求項１】
２つの物体を枢動自在に支持し一方の物体（以下第1の物体）に取付部を介して固定して取り付けられるヒンジ軸と、前記ヒンジ軸に密接する制動部材と、前記２つの物体の他方の物体（以下第２の物体）に固定して取り付けられ且つ前記制動部材が固定され前記制動部材を前記ヒンジ軸に所定の圧力で押し付けつつ前記ヒンジ軸を保持する保持具とを備え、前記保持具は、前記制動部材を介して前記ヒンジ軸を抱き込む湾曲部を含み、前記湾曲部を縮径するように前記湾曲部を前記第１又は第２の物体あるいは前記第１又は第２の物体に取り付けられるべき部材（以下単に物体等と称する）に締め付けるものであるトルク設定機能付きヒンジにおいて、前記保持具は、前記湾曲部とは別体の調整部材を含み、前記調整部材は、前記湾曲部の縮径時の円弧運動とは独立して変位しつつ前記湾曲部を縮径するように前記湾曲部を締付けるものであることを特徴とするトルク設定機能付きヒンジ。
【請求項２】
２つの物体を枢動自在に支持し一方の物体（以下第1の物体）に取付部を介して固定して取り付けられるヒンジ軸と、前記ヒンジ軸に密接する湾曲部を含み前記２つの物体の他方の物体（以下第２の物体）に固定して取り付けられ前記湾曲部を前記ヒンジ軸に所定の圧力で押し付けつつ前記ヒンジ軸を保持する保持具とを備え、前記保持具は、前記湾曲部を縮径するように前記湾曲部を前記第１又は第２の物体あるいは前記第１又は第２の物体に取り付けられるべき部材（以下単に物体等と称する）に締め付けるものであるトルク設定機能付きヒンジにおいて、前記保持具は、前記湾曲部とは別体の調整部材を含み、前記調整部材は、前記湾曲部の縮径時の円弧運動とは独立して変位しつつ前記湾曲部を縮径するように前記湾曲部を締付けるものであることを特徴とするトルク設定機能付きヒンジ。
【請求項３】
請求項１又は２に記載のトルク設定機能付きヒンジであって、前記保持具は、前記湾曲部の一端から一体に延び前記物体等に固定されるべき平坦締付け部を含み、前記調整部材は、前記湾曲部の他端に設けられた掛け止め部に掛け止めされて前記湾曲部を縮径するように前記平坦締付け部に締め付けるものであることを特徴とするトルク設定機能付きヒンジ。
【請求項４】
請求項３に記載のトルク設定機能付きヒンジであって、前記湾曲部の他端は、前記平坦締付け部の差し込み溝内に差し込まれる少なくとも１つの差込み片を有することを特徴とするトルク設定機能付きヒンジ。
【請求項５】
請求項４に記載のトルク設定機能付きヒンジであって、前記掛け止め部は、前記差込み片に設けられていることを特徴とするトルク設定機能付きヒンジ。
【請求項６】
請求項３乃至５のいずれかに記載のトルク設定機能付きヒンジであって、前記平坦締付け部は、前記第１又は第２の物体にねじ止めして取り付けられるべき一方の止め板であり、前記第２又は第１の物体にねじ止めすべき他方の止め板は、前記ヒンジ軸と一体に回転するように前記ヒンジ軸に取り付けられていることを特徴とするトルク設定機能付きヒンジ。
【発明の詳細な説明】
【技術分野】
【０００１】
本発明は、筐体の蓋の如き種々の枢動物体を固定物体に枢動自在に支持する際に枢動に抵抗を付与するトルクを設定することができるトルク設定機能付きヒンジの改良に関するものである。
【背景技術】
【０００２】
例えば、ノート型パソコンの液晶ディスプレイや格納庫のヒンジ開閉式蓋の如き種々の枢動物体を所定の枢動位置に保持するために、種々のトルク設定機能付きヒンジが用いられ、その１つの例が特許文献１に開示されている。【０００３】
この特許文献１に開示されているヒンジは、枢動物体を固定物体に枢動自在に支持するヒンジ軸と、このヒンジ軸に密接するプラスティック製の切欠き円筒の形態の制動部材と、この制動部材に取り付けられ制動部材をヒンジ軸に所定の圧力で押し付けつつヒンジ軸を保持する保持具とを備えている。この保持具は、特許文献１の図３、図６、図７に示すように、制動部材を介してヒンジ軸を抱き込む湾曲部とこの湾曲部から一体に延びて枢動物体の壁面にそれぞれねじ止めされる両端平坦締付け部とを有し、この平坦締付け部の締付け強さを調節して制動部材をヒンジ軸に押し付ける圧力を設定している。【０００４】
このような構造では、ヒンジ軸を保持具の湾曲部に抱き込むように挿入するために湾曲部を拡縮するが、この湾曲部から一体に延びる両端平坦締付け部の少なくとも一方の平坦締付け部は、湾曲部の拡縮運動に伴って円弧運動するので、この一方の平坦締付け部に貫通して締付けるねじも、その締付け時に円弧運動することになる。従って、ねじは、締付け時にねじ孔に整列して入り込むことができないため、平坦締付け部に対して水平変位することができるように長孔等を貫通する必要があるが、この長孔内を水平変位しながらねじ孔に円滑に締め込むことが難しく、保持具の締付けを高い精度で行うことができない欠点があった。特に、保持具の締付けにねじに代えて加締めピンを用いる場合があるが、加締めピンは、長孔内で変位しながら加締めることができないので、加締めによって保持具を締付けることができない。
【先行技術文献】
【特許文献】
【０００５】
【特許文献１】特開平７-１０３２２５号公報
【発明の概要】
【発明が解決しようとする課題】
【０００６】
本発明が解決しようとする課題は、保持具の締付けをねじ又は加締めピンによって精度よく、かつ容易に締付けることができるトルク設定機能付きヒンジを提供することにある。
【課題を解決するための手段】
【０００７】
本発明の１つの形態による課題解決手段は、２つの物体を枢動自在に支持し一方の物体（以下第1の物体）に取付部を介して固定して取り付けられるヒンジ軸と、前記ヒンジ軸に密接する制動部材と、前記２つの物体の他方の物体（以下第２の物体）に固定して取り付けられ且つ前記制動部材が固定され前記制動部材を前記ヒンジ軸に所定の圧力で押し付けつつ前記ヒンジ軸を保持する保持具とを備え、前記保持具は、前記制動部材を介して前記ヒンジ軸を抱き込む湾曲部を含み、前記湾曲部を縮径するように前記湾曲部を前記第１又は第２の物体あるいは前記第１又は第２の物体に取り付けられるべき部材（以下単に物体等と称する）に締め付けるものであるトルク設定機能付きヒンジにおいて、前記保持具は、前記湾曲部とは別体の調整部材を含み、前記調整部材は、前記湾曲部の縮径時の円弧運動とは独立して変位しつつ前記湾曲部を縮径するように前記湾曲部を締付けるものであることを特徴とするトルク設定機能付きヒンジを提供することにある。【０００８】
本発明の他の形態による課題解決手段は、２つの物体を枢動自在に支持し一方の物体（以下第1の物体）に取付部を介して固定して取り付けられるヒンジ軸と、前記ヒンジ軸に密接する湾曲部を含み前記２つの物体の他方の物体（以下第２の物体）に固定して取り付けられ前記湾曲部を前記ヒンジ軸に所定の圧力で押し付けつつ前記ヒンジ軸を保持する保持具とを備え、前記保持具は、前記湾曲部を縮径するように前記湾曲部を前記第１又は第２の物体あるいは前記第１又は第２の物体に取り付けられるべき部材（以下単に物体等と称する）に締め付けるものであるトルク設定機能付きヒンジにおいて、前記保持具は、前記湾曲部とは別体の調整部材を含み、前記調整部材は、前記湾曲部の縮径時の円弧運動とは独立して変位しつつ前記湾曲部を縮径するように前記湾曲部を締付けるものであることを特徴とするトルク設定機能付きヒンジを提供することにある。【０００９】
本発明の上記２つの課題解決手段において、前記保持具は、前記湾曲部の一端から一体に延び前記物体等に固定されるべき平坦締付け部を含み、前記調整部材は、前記平坦締付け部に平行な方向に前記湾曲部の他端に設けられた掛け止め部に掛け止めされて前記湾曲部を縮径するように前記平坦締付け部にねじ止め又は加締め付ける形態とすることができる。【００１０】
本発明の課題解決手段において、前記湾曲部の他端は、前記平坦締付け部の差し込み溝内に差し込まれる少なくとも１つの差込み片を有してもよく、また前記掛け止め部は、前記差込み片に設けられている形態とすることができる。【００１１】
本発明の課題解決手段において、平坦締付け部は、前記第１又は第２の物体にねじ止めして取り付けられるべき一方の止め板であり、前記第２又は第１の物体にねじ止めすべき他方の止め板は、前記ヒンジ軸と一体に回転するように前記ヒンジ軸に取り付けられている形態とすることができる。
【発明の効果】
【００１２】
本発明によれば、保持具の湾曲部を縮径する機能が湾曲部とは別体で湾曲部の締付け時の円弧運動とは独立して湾曲部の掛け止め部内を垂直変位することができる調整部材をねじ止め又は加締め付けすることによって行われるので、ねじ又は加締めピンは湾曲部の円弧運動に拘束されることなく、垂直運動によって湾曲部を締め付けることができ、従って保持具の締め付けを高い精度と高い作業性とで行うことができる。
【図面の簡単な説明】
【００１３】
【図１】本発明の１つの実施の形態によるトルク設定機能付きヒンジを示し、同図（Ａ）乃至（Ｅ）は、それぞれ、このトルク設定機能付きヒンジの斜視図、上面図、同図（Ｂ）のＣ−Ｃ線、Ｄ−Ｄ線及びＥ−Ｅ線断面図である。
【図２】図１のトルク設定機能付きヒンジの分解斜視図である。
【図３】図１のトルク設定機能付きヒンジの組立て順序を示す斜視図であるが、同図（Ａ）は、保持具の調整部材の取り付け前の状態、同図（Ｂ）は、調整部材を湾曲部に係入した状態、同図（Ｃ）は、調整部材と平坦締付け部とに加締めピンを貫通しているが加締め前の状態をそれぞれ示す。
【図４】図３と同様に、図１のトルク設定機能付きヒンジの組立て順序を示す上面図であるが、同図（Ａ）乃至（Ｃ）は、図３（Ａ）乃至３（Ｃ）と同じ状態を示す。
【図５】図３及び図４と同様に、図１のトルク設定機能付きヒンジの組立て順序を示すが、図４（Ａ）乃至図４（Ｃ）の５−５線断面図である。
【図６】図３及び図４と同様に、図１のトルク設定機能付きヒンジの組立て順序を示すが、図４（Ａ）乃至図４（Ｃ）の６−６線断面図である
【図７】本発明の他の実施の形態によるトルク設定機能付きヒンジを示し、同図（Ａ）は、このトルク設定機能付きヒンジの斜視図、同図（Ｂ）は、そのＢ−Ｂ線断面図、同図（Ｃ）は、ねじによる締付け前の斜視図である。
【図８】本発明の更に他の実施の形態によるトルク設定機能付きヒンジを示し、同図（Ａ）は、このトルク設定機能付きヒンジの斜視図、同図（Ｂ）は、そのＢ−Ｂ線断面図、同図（Ｃ）は、ねじとナットとによる締付け前の斜視図である。
【図９】本発明のトルク設定機能付きヒンジの保持具の変形例を示す要部断面図である。
【図１０】本発明の更に他の実施の形態によるトルク設定機能付きヒンジを示し、同図（Ａ）は、その分解斜視図、同図（Ｂ）は、組立て状態で締付け部材を有する部分での断面図である。
【図１１】本発明のトルク設定機能付きヒンジの１つの使用状態の斜視図である。
【図１２】本発明のトルク設定機能付きヒンジの他の使用状態の斜視図である。
【発明を実施するための形態】
【００１４】
本発明の実施の形態によるトルク設定機能付きヒンジ１０を図１乃至図８を参照して以下に詳細に述べるが、このトルク設置機能付きヒンジ１０は、図１１に示すように、建造物１等の壁１Ｗに設けられた窓孔１Ｈを開閉する扉１Ｄを壁１Ｗに枢動自在に支持したり、図１２に示すように、筐体２の開口２Ｏを開閉する蓋２Ｃを筐体本体２Ｂに枢動自在に支持したりするのに用いることができるが、これらに限定されることがなく、他の種々の２つの物体（以下第１及び第２の物体と称する）を枢動自在に結合するのに用いることができる。
【００１５】
本発明の１つの実施の形態によるトルク設定機能付きヒンジ１０が図１乃至図６に示されており、このトルク設定機能付きヒンジ１０は、第１と第２の物体を相互に枢動自在に結合するヒンジ軸２０と、このヒンジ軸２０に密接する切欠き円筒の形態の制動部材３０と、この制動部材３０に取り付けられ制動部材３０をヒンジ軸２０に所定の圧力で押し付けつつヒンジ軸２０を保持する保持具４０とを備えている。
【００１６】
ヒンジ軸２０は、図２に示すように、円柱又は円筒形の軸本体２２の両端に部分角型端部２４、２６を有する。一方の部分角型端部２４は、軸本体２２よりも大径の円筒部分２４Ｃを有し、また他方の部分角型端部２６は、軸本体２２よりも小径の円筒部分２６Ｃを有する。このヒンジ軸２０は、金属、プラスティックその他任意の硬質材料から作ることができる。角型端部２４、２６は、後に詳細に述べるように、ヒンジ軸２０を第１と第２の物体のうち一方の物体（以下第２の物体と称する）に取り付けられるべき第２の止め板を取り付けるのに用いられる。
【００１７】
制動部材３０は、図２に示すように、軸方向に分割された２つの円筒部分３２、３４を含み、これらの円筒部分３２、３４は、その長手方向に切欠き３２Ｎ、３４Ｎ（図１（Ｃ）参照）を有し、また反対側の端部にフランジ３２Ｆ、３４Ｆをそれぞれ有する。これらの円筒部分３２、３４は、フランジ３２Ｆ、３４Ｆで閉じられた部分を除いてこの切欠き３２Ｎ、３４Ｎによってそれぞれ縮径することができるようになっている。この制動部材３０は、プラスティックの如き高い摩擦性を有する材料から作られている。
【００１８】
保持具４０は、図１（Ｃ）、図１（Ｄ）及び図２に示すように、制動部材３０を介してヒンジ軸２０を抱き込む湾曲部４２と、この湾曲部４２の一端から一体に延び第１の物体に固定されるべき平坦締付け部４４と、この平坦締付け部４４に平行な方向から湾曲部４２の他端に設けられた掛け止め部４２Ｇに緩めに掛け止めされる調整部材４６とから成り、調整部材４６は、湾曲部４２を縮径するように平坦締付け部４４にねじ止め又は加締め付けられるが、その詳細は、図５及び図６を参照して後に述べる。図示の形態では、掛け止め部４２Ｇは、垂直溝の形態であるが、調整部材４６が湾曲部４２を縮径することができるように湾曲部４２の自由端を押圧することができれば、２つの相対する鉤状突片、その他の任意の形態とすることができる。なお、図示の形態では、掛け止め部４２Ｇは、２つの垂直溝から成っているが、湾曲部４２の他端（平坦締付け部４４を有する側とは反対側の端部＝自由端）が偏りをすることなく確実に押圧されることができれば、湾曲部４２の中間に幅広で形成された１つの垂直溝（それに代わる例えば１対の鉤状突片も同じ）であってもよい。
【００１９】
図示の形態では、湾曲部４２は、その自由端に２つの差込み片４２Ｐを有し、これらの差込み片４２Ｐは、平坦締付け部４４に設けられた差込み溝４４Ｇ内に上下に変位可能に差し込まれ、掛け止め部４２Ｇである２つの垂直溝は、平坦締付け部４４の上面に露出するように２つの差込み片４２Ｐにそれぞれ形成されている。なお、掛け止め部４２Ｇが１つであれば、差込み片４２Ｐも１つであってもよい。
【００２０】
また、図示の形態では、平坦締付け部４４は、第１の物体にねじ止めして取り付けられるべき一方の止め板４８Ａを形成しており、この第１の物体に枢動自在に取付けるべき第２の物体にねじ止めすべき他方の止め板（又は取付け部）４８Ｂは、ヒンジ軸２０に一体に回動するようにヒンジ軸２０に取り付けられている。更に詳細に述べると、止め板４８Ｂは、ヒンジ軸２０の角型端部２４，２６に係合する角型孔２４Ｇ、２６Ｇが設けられている２つの端部フランジ４８ＢＦを有し、止め板４８Ｂは、フランジ４８ＢＦの角型孔２４Ｇ、２６Ｇにヒンジ軸２０の角型端部２４、２６を係入してヒンジ軸２０に一体に回転するように取り付けられている。なお、角型端部２４、２６が大小の異なる径の円筒部分２４Ｃ、２６Ｃを有する理由は、ヒンジ軸２０を小径の円筒部分２６Ｃを有する角型端部２６側から止め板４８Ｂの角型孔２４Ｇ、２６Ｇに順次挿通するのを許すためである。なお、図１、図２において、符号４８Ｈは、止め板４８Ａ、４８Ｂを相互に枢動自在に結合すべき第１及び第２の物体にそれぞれねじ止めするのに用いられるねじ貫通孔である。
【００２１】
制動部材３０は、その円筒部分３２、３４に保持具４０の湾曲部４２の両端の逆Ｌ字形切欠き４２Ｎに係入する突部３２Ｐ、３４Ｐを有し、従って、制動部材３０は、突部３２Ｐ、３４Ｐの切欠き４２Ｎへの係入によって保持具４０と回転方向に一体となり、ヒンジ軸２０に対して保持具４０と共に一体に相対回転する。
【００２２】
調整部材４６は、図２に示すように、保持具４０の湾曲部４２の一端（自由端）に設けられた掛け止め部（図示の形態では垂直溝）４２Ｇに掛け止めされるべき突片４６Ｐを有し、調整部材４６は、この突片４６Ｐを湾曲部４２の掛け止め部４２Ｇに掛け止めされるように係入した状態で平坦締付け部４４に締め付けることによって湾曲部４２の自由端を引いて湾曲部４２を縮径することができる。なお、調整部材４６の突片４６Ｐが掛け止め部４２Ｇ内で湾曲部４２の縮径時に湾曲部４２の円弧運動（湾曲部４２の自由端の縮径方向の動き）に拘束されることがなく垂直運動することができるように突片４６Ｐと掛け止め部４２Ｇとの間には型を有することが必要である（図５（Ａ）乃至（Ｃ）及び図１０（Ｂ）の隙間参照）。
【００２３】
既に述べたように、図示の形態では、掛け止め部４２Ｇは、２つの垂直溝から成っているので、調整部材４６もそれに相応して２つの突片４６Ｐを有する。
【００２４】
調整部材４６と平坦締付け部４４とは、調整部材４６が湾曲部４２の掛け止め部４２Ｇに掛け止めされるように係入した状態で相互に整列する締付け孔４６Ｈ、４４Ｈを有し、締付け部材５０は、これらの締付け孔４６Ｈ、４４Ｈを貫通して調整部材４６と平坦締め付け部４４とが密接するように相互に締め付けられる。なお、湾曲部４２は、締付け部材５０の締め付け時に干渉しないように、切欠き状の逃げ４２Ｓを有する。
【００２５】
図１乃至図６の実施の形態では、調整部材４６を平坦締付け部４４に締付けるために、加締めピン５０Ｐの形態の締付け部材５０が用いられるが、図１乃至図８の形態によるトルク設定機能付きヒンジ１０の組み立て方法を図３乃至図６を参照して以下の詳細に説明する。
【００２６】
図１乃至図６の形態のトルク設定機能付きヒンジ１０は、トルク設定前は、図３乃至図６の（Ａ）に示すように、ヒンジ軸２０の周りに、制動部材３０及び保持具４０の湾曲部４２が順次重合するように組み立てられる。この状態では、保持具４０の湾曲部４２は、制動部材３０をヒンジ軸２０に押し付けるように作用していない。
【００２７】
この状態から、図３乃至図６の（Ｂ）に示すように、保持具４０の調整部材４６を湾曲部４２に掛け止めるように調整部材４６を湾曲部４２に組み付ける。この組み付けは、調整部材４６の突片４６Ｐを湾曲部４２の掛け止め部４２Ｇである垂直溝に係入する。
【００２８】
その後、図３乃至図６の（Ｃ）に示すように、加締めピン５０Ｐを締付け孔４４Ｈに貫通し、加締めピン５０Ｐの下端を加締めて図１（Ａ）乃至図１（Ｅ）に示すように調整部材４６を所定の圧力で平坦締付け部４４に締付けることによって保持具４０の湾曲部４２が制動部材３０を所定のトルクでヒンジ軸２０に締付ける。調整部材４６の締付け圧力は、加締め時の圧力で設定される。
【００２９】
注目すべきことは、保持具４０の湾曲部４２が制動部材３０をヒンジ軸２０に締付ける際に、湾曲部４２の自由端は、円弧運動するが、この自由端に掛け止めされて湾曲部４２を縮径する調整部材４６の突片４６Ｐは、掛け止め部４２Ｇの垂直溝内に緩く掛け止めされているので、締付け部材５０は、湾曲部４２の円弧運動に拘束されることがなく、垂直変位して湾曲部４２を縮径するように締付けることができ、締付け部材５０の締付け（加締め）を高い精度と作業性で行うことができる。
【００３０】
本発明の他の実施の形態が図７及び図８に示されており、これらの実施の形態では、図１乃至図６の実施の形態の加締めピン５０Ｐに代えてねじ状の締付け部材５０が用いられている。即ち、図７の実施の形態では、締付け部材５０は、調整部材４６を平坦締付け部４４に締付けるように調整部材４４の締付け孔４４Ｈを貫通し平坦締付け部４４の締付け孔（ねじ孔）にねじ込む締付けねじ５０Ｔから成り、また図８の実施の形態では、締付け部材５０は、平坦締付け部４４の下側から締付け孔４４Ｈと調整部材４６の締付け孔４６Ｈとを貫通するねじ５０Ｔと調整部材４６の上面側に配置されてねじ５０Ｔが螺合するナット５０Ｎとから成っている。いずれの形態も、ねじ５０Ｔのねじ込み量によってトルク圧力が設定される。これらの実施の形態でも、ねじ５０Ｔの締付けは、湾曲部４２の自由端の円弧運動に拘束されることなく、高い精度と作業性とで行うことができる
【００３１】
本発明の変形例が図９に示されており、この変形例では、保持具４０の湾曲部４２は、差込み片４２Ｐを有しないことを除いて図１乃至図８の実施の形態と同じである。この場合、調整部材４６の突片４６Ｐは、先端に下先端が逆Ｌ字形の切欠き４６Ｎを有し、この切欠き４６Ｎ付き先端４６Ｔが湾曲部４２の掛け止め部４２Ｇに係入して掛け止めされる。締付け部材５０が調整部材４６を平坦締付け部４４に締付けると、貴類下記４６Ｎ付き先端４６Ｔが掛け止め部４２Ｇを介して湾曲部４２の自由端を縮径方向に締付ける。
【００３２】
図１乃至図９の実施の形態では、制動部材３０が長手方向の切欠き３２Ｎ、３４Ｎを有してこれらの切欠きを縮めるようにしてヒンジ軸２０に対して制動トルクを付与しているが、保持具４０の湾曲部４２の縮径によって制動部材３０がヒンジ軸２０に対して圧力を付与することができれば、切欠き３２Ｎ、３４Ｎがなくてもよい。例えば、制動部材３０がそれ自体の弾性変形又は塑性変形で縮径することができる材質を有すれば、切欠きを設ける必要はない。また、制動部材３０は、ヒンジ軸２０の全長に渡って設ける必要はなく、部分的であってもよいことは勿論である。
【００３３】
図１乃至図９の実施の形態では、保持具４０の湾曲部４２とヒンジ軸２０との間に制動部材３０が設けられているが、保持具４０の湾曲部４２自体が制動部材を兼ねる形態であってもよい。図１０は、この実施の形態のトルク設定機能付きヒンジ１０を示し、同図（Ａ）（Ｂ）に示すように、保持具４０の湾曲部４２の内面がヒンジ軸２０の外面に直接係合しており、湾曲部４２が図１乃至図９の実施の形態と同様の方法で縮径されてヒンジ軸２０に所定の制動トルクを付与している。従って、図１乃至図９の実施の形態で用いられている制動部材３０が省略される。なお、保持具４０の湾曲部４２は、それ自体の材質でヒンジ軸２０に制動トルクを付与することができればよいが、さもなければ、湾曲部４２の内面にプラスティック被覆等の制動膜を有していてもよい。
【００３４】
なお、上記実施の形態では、保持具４０は、湾曲部４２の一端側で湾曲部４２を縮径しているが、例えば、湾曲部４２が上下の半割り部分から成り、下方の湾曲部の両側から２つの平坦締付け部が一体に延び、上方の半割り部分の両側に２つの平坦締付け部にそれぞれ締め付けられる２つの調整部材を対称的に配置して湾曲部４２の上方半割部分を両側から縮径するように締付けてもよい。
【産業上の利用可能性】
【００３５】
本発明によれば、ヒンジ軸に制動部材を押し付ける保持具の湾曲部は、この湾曲部とは別体の調整部材によって縮径されるので、ねじ又は加締めピンの如き締付け部材は、湾曲部の締付け時の円弧運動とは独立して湾曲部の掛け止め部内を垂直変位することができるため、ねじ又は加締めピンは湾曲部の円弧運動に拘束されることなく、垂直運動によって湾曲部を締め付けることができ、従って保持具の締め付けを高い精度と高い作業性とで行うことができ、産業上の利用性が向上する。
【符号の説明】
【００３６】
１  建造物等 
１Ｗ  壁 
１Ｈ  窓孔 
１Ｄ  扉 
２  筐体 
２Ｂ  筐体本体 
２Ｃ  蓋 
１０  トルク設定機能付きヒンジ 
２０  ヒンジ軸 
２２  軸本体 
２４、２６  部分角型端部 
２４Ｃ、２６Ｃ  円筒部分 
２４Ｇ、２６Ｇ  角型孔 
３０  切欠き円筒の形態の制動部材 
３２、３４  軸方向に分割された２つの円筒部分 
３２Ｎ、３４Ｎ  長手方向の切欠き 
３２Ｆ、３４Ｆ  フランジ 
３２Ｐ、３４Ｐ  突片 
４０  保持具 
４２  湾曲部 
４２Ｇ  掛け止め部 
４２Ｐ  差込み片 
４２Ｎ  切欠き 
４２Ｓ  切欠き状の逃げ 
４４  平坦締付け部 
４４Ｈ  締付け孔 
４４Ｇ    差込み溝 
４６  調整部材 
４６Ｈ  締付け孔 
４６Ｐ  突片 
４８Ａ、４８Ｂ  止め板 
４８ＢＦ  端部フランジ 
４８Ｈ  ねじ貫通孔 
５０  締付け部材 
５０Ｐ  締付けピン 
５０Ｔ  ねじ 
５０Ｎ  ナット 
【図１】
2011099556.tif 000003
【図２】
2011099556.tif 000004
【図３】
2011099556.tif 000005
【図４】
2011099556.tif 000006
【図５】
2011099556.tif 000007
【図６】
2011099556.tif 000008
【図７】
2011099556.tif 000009
【図８】
2011099556.tif 000010
【図９】
2011099556.tif 000011
【図１０】
2011099556.tif 000012
【図１１】
2011099556.tif 000013
【図１２】
2011099556.tif 000014
【手続補正書】
【提出日】平成25年2月15日(2013.2.15)
【手続補正１】
【補正対象書類名】特許請求の範囲
【補正対象項目名】請求項１
【補正方法】変更
【補正の内容】
【請求項１】
２つの物体を枢動自在に支持し一方の物体（以下第1の物体）に取付部を介して固定して取り付けられるヒンジ軸と、
前記ヒンジ軸に密接する制動部材と、
前記２つの物体の他方の物体（以下第２の物体）に固定して取り付けられ且つ前記制動部材が固定され前記制動部材を前記ヒンジ軸に所定の圧力で押し付けつつ前記ヒンジ軸を保持する保持具とを備え、
前記保持具は、前記制動部材を介して前記ヒンジ軸を抱き込む湾曲部を含み、
前記湾曲部を縮径するように前記湾曲部を前記第１又は第２の物体あるいは前記第１又は第２の物体に取り付けられるべき部材（以下単に物体等と称する）に締め付けるものである
トルク設定機能付きヒンジにおいて、
前記保持具は、前記湾曲部とは別体の調整部材を含み、
前記調整部材は、前記湾曲部の外周側からその湾曲部に係入されるものであるとともに前記湾曲部の縮径時の円弧運動とは独立して変位しつつ前記湾曲部を縮径するように前記湾曲部を締付けるものであること
を特徴とするトルク設定機能付きヒンジ。
【手続補正２】
【補正対象書類名】特許請求の範囲
【補正対象項目名】請求項２
【補正方法】変更
【補正の内容】
【請求項２】
２つの物体を枢動自在に支持し一方の物体（以下第1の物体）に取付部を介して固定して取り付けられるヒンジ軸と、
前記ヒンジ軸に密接する湾曲部を含み前記２つの物体の他方の物体（以下第２の物体）に固定して取り付けられ前記湾曲部を前記ヒンジ軸に所定の圧力で押し付けつつ前記ヒンジ軸を保持する保持具とを備え、
前記保持具は、前記湾曲部を縮径するように前記湾曲部を前記第１又は第２の物体あるいは前記第１又は第２の物体に取り付けられるべき部材（以下単に物体等と称する）に締め付けるものである
トルク設定機能付きヒンジにおいて、
前記保持具は、前記湾曲部とは別体の調整部材を含み、
前記調整部材は、前記湾曲部の外周側からその湾曲部に係入されるものであるとともに前記湾曲部の縮径時の円弧運動とは独立して変位しつつ前記湾曲部を縮径するように前記湾曲部を締付けるものであること
を特徴とするトルク設定機能付きヒンジ。
【手続補正３】
【補正対象書類名】明細書
【補正対象項目名】０００７
【補正方法】変更
【補正の内容】
【０００７】
本発明の１つの形態による課題解決手段は、
２つの物体を枢動自在に支持し一方の物体（以下第1の物体）に取付部を介して固定して取り付けられるヒンジ軸と、
前記ヒンジ軸に密接する制動部材と、
前記２つの物体の他方の物体（以下第２の物体）に固定して取り付けられ且つ前記制動部材が固定され前記制動部材を前記ヒンジ軸に所定の圧力で押し付けつつ前記ヒンジ軸を保持する保持具とを備え、
前記保持具は、前記制動部材を介して前記ヒンジ軸を抱き込む湾曲部を含み、
前記湾曲部を縮径するように前記湾曲部を前記第１又は第２の物体あるいは前記第１又は第２の物体に取り付けられるべき部材（以下単に物体等と称する）に締め付けるものである
トルク設定機能付きヒンジにおいて、
前記保持具は、前記湾曲部とは別体の調整部材を含み、
前記調整部材は、前記湾曲部の外周側からその湾曲部に係入されるものであるとともに前記湾曲部の縮径時の円弧運動とは独立して変位しつつ前記湾曲部を縮径するように前記湾曲部を締付けるものであること
を特徴とするトルク設定機能付きヒンジ
を提供することにある。
【手続補正４】
【補正対象書類名】明細書
【補正対象項目名】０００８
【補正方法】変更
【補正の内容】
【０００８】
本発明の他の形態による課題解決手段は、
２つの物体を枢動自在に支持し一方の物体（以下第1の物体）に取付部を介して固定して取り付けられるヒンジ軸と、
前記ヒンジ軸に密接する湾曲部を含み前記２つの物体の他方の物体（以下第２の物体）に固定して取り付けられ前記湾曲部を前記ヒンジ軸に所定の圧力で押し付けつつ前記ヒンジ軸を保持する保持具とを備え、
前記保持具は、前記湾曲部を縮径するように前記湾曲部を前記第１又は第２の物体あるいは前記第１又は第２の物体に取り付けられるべき部材（以下単に物体等と称する）に締め付けるものである
トルク設定機能付きヒンジにおいて、
前記保持具は、前記湾曲部とは別体の調整部材を含み、
前記調整部材は、前記湾曲部の外周側からその湾曲部に係入されるものであるとともに前記湾曲部の縮径時の円弧運動とは独立して変位しつつ前記湾曲部を縮径するように前記湾曲部を締付けるものであること
を特徴とするトルク設定機能付きヒンジ
を提供することにある。
【国際調査報告】
2011099556.tif 000015
2011099556.tif 000016
2011099556.tif 000017
2011099556.tif 000018